【手続補正書】
【提出日】平成17年6月22日(2005.6.22)
【手続補正１】
【補正対象書類名】明細書
【補正対象項目名】００２５
【補正方法】変更
【補正の内容】
【００２５】
同様に、前記第２結合線路用ストリップライン７０９−７１０−７１１−７１２が角７２７から角７２６方向に全体的にずれを生じた場合においても、前記第１結合線路用第１ライン導体７０７と前記第２結合線路用第４ライン導体７１２とは結合線路用ライン導体間の相互間隔が狭くなり、結合度が増加する方向に変化し、前記第１結合線路用第３ライン導体７０５と前記第２結合線路用第２ライン導体７１０とは前記結合線路用ライン導体間の相互間隔が広くなり、結合度は減少する方向に変化するため、両者の位置ずれによる結合度の変化が相殺されることになる。
【手続補正２】
【補正対象書類名】明細書
【補正対象項目名】００５６
【補正方法】変更
【補正の内容】
【００５６】
同様に、もし前記第２結合線路用ストリップライン１１２−１１１−１１０−１０９が、角１２５から角１２４方向に全体的にずれを生じた場合においても、前記第１結合線路用第２ライン導体１０５と前記第２結合線路用第３ライン導体１１０とは結合線路用ライン導体間の相互間隔が狭くなり、結合度が増加する方向に変化し、前記第１結合線路用第４ライン導体１０７と前記第２結合線路用第１ライン導体１１２とは結合線路用ライン導体間の相互間隔が広くなり、結合度は減少する方向に変化するため、両者の位置ズレによる影響が相殺されることになる。
【手続補正３】
【補正対象書類名】明細書
【補正対象項目名】００７１
【補正方法】変更
【補正の内容】
【００７１】
以上のように配置された前記第１結合線路用ストリップライン２０４−２０５−２０６−２０７−２０８と、結合線路用ストリップライン第２１４−２１３−２１２−２１１−２１０とは、前記信号入出力用ライン導体２０９、２１５で信号が入出力され、前記ビア導体２１６、２１７、２１８を介し前記接地導体２１９に短絡され、互いに電磁界的に結合して、インターデジタル・フィルタを構成している。
【手続補正４】
【補正対象書類名】明細書
【補正対象項目名】００７４
【補正方法】変更
【補正の内容】
【００７４】
同様に、前記第２結合線路用ストリップライン２１４−２１３−２１２−２１１−２１０が角２２７から角２２６方向に全体的にずれを生じた場合においても、前記第１結合線路用第３ライン導体２０６と第２結合線路用第３ライン導体２１２とは結合線路用ライン導体間の相互間隔が狭くなり、結合度が増加する方向に変化し、前記第１結合線路用第１ライン導体２０４と第２結合線路用第５ライン導体２１０と、及び第１結合線路用第５ライン導体２０８と第２結合線路用第１ライン導体２１４とは結合線路用ライン導体間の相互間隔が広くなり、結合度は減少する方向に変化するため、両者の位置ずれによる結合度への影響が互いに相殺されることになる。
【手続補正５】
【補正対象書類名】明細書
【補正対象項目名】００７７
【補正方法】変更
【補正の内容】
【００７７】
なお、本実施の形態２に説明したマイクロ波結合線路において、前記ビア導体２１８を前記ライン導体２１４の角２２９側に配置させるか、または前記ビア導体２１６、２１７を前記ライン導体２０４の角２２６側に配置させることにより、コムライン結合させるようにしてもよく、マイクロ波結合線路としては、本実施の形態２と同様な効果が得られる。
【手続補正６】
【補正対象書類名】明細書
【補正対象項目名】００９３
【補正方法】変更
【補正の内容】
【００９３】
同様に、前記第２結合線路用ストリップライン３０９−３１０−３１１−３１２が角３５２から角３５１方向に全体的にずれを生じた場合においても、前記第１結合線路用第１ライン導体３０７と前記第２結合線路用第４ライン導体３１２とは結合線路用ライン導体間の相互間隔が狭くなり、結合度が増加する方向に変化し、前記第１結合線路用第３ライン導体３０５と前記第２結合線路用第２ライン導体３１０とは前記結合線路用ライン導体間の相互間隔が広くなり、結合度は減少する方向に変化するため、両者の位置ずれによる結合度の変化が相殺されることになる。さらに、前記ビア導体３１９〜３４３を配置する場合、ライン導体の各々の共振周波数は等しくなる。
【手続補正７】
【補正対象書類名】明細書
【補正対象項目名】図３
【補正方法】変更
【補正の内容】
【図３】
本発明の実施の形態２における１／４波長先端短絡型結合線路を用いたインターデジタル・フィルタを示すものであり、図３(ａ)は上から見た平面図で、図３(ｂ)は図３(ａ)のＢ１−Ｂ１’線についての断面図であり、図３(ｃ)は図３(ａ)のＢ２−Ｂ２’線についての断面図であり、図３(ｄ)は図３(ａ)のＢ３−Ｂ３’線についての断面図であり、図３(ｅ)は図３(ａ)のＢ４−Ｂ４’線についての断面図である。
【手続補正８】
【補正対象書類名】明細書
【補正対象項目名】図４
【補正方法】変更
【補正の内容】
【図４】
図４(ａ)は図３(ｂ)のＢ５−Ｂ５’線についての断面図であり、図４(ｂ)は図３(ｂ)のＢ６−Ｂ６’線についての断面図である。
【手続補正９】
【補正対象書類名】明細書
【補正対象項目名】符号の説明
【補正方法】変更
【補正の内容】
【符号の説明】
１０１、１１７〜１２０、２０１、２１９〜２２２、３０１、３４４〜３４７、４０１、４１７〜４２１、５０１、５１７〜５２１、６０１、６１６〜６１９、７０１、７１９〜７２２  接地導体
１０２、１０３、２０２、２０３、３０２、３０３、４０２、４０３、５０２、５０３、６０２、６０３、７０２、７０３  信号入出力用の端面電極
１０４〜１０７、１０９〜１１２、２０４〜２０８、２１０〜２１４、３０４〜３０７、３０９〜３１２、４０４〜４０７、４０９〜４１２、５０４〜５０７、５０９〜５１２、６０４〜６０７、６０９〜６１２、７０４〜７０７、７０９〜７１２  結合線路用ライン導体
１０８、１１３、２０９、２１５、３０８、３１３、４０８、４１３、５０８、５１３、６０８、６１３、７０８、７１３  信号入出力線路用ライン導体
１１４〜１１６、２１６〜２１８、３１４〜３４３、４１４〜４１６、５１４〜５１６、６１４、６１５、７１４〜７１８  ビア導体
１２１〜１２３、２２３〜２２５、３４８〜３５０、４２４〜４２６、５２２〜５２４、６２０〜６２２、７２３〜７２５  誘電体
１２４〜１２７、２２６〜２２９、３５１〜３５４、４２７〜４３０、５２５〜５２８、６２３〜６２６、７２６〜７２９  角
【手続補正１０】
【補正対象書類名】図面
【補正対象項目名】図１
【補正方法】変更
【補正の内容】
【図１】
2004032199.tif 000001
【手続補正１１】
【補正対象書類名】図面
【補正対象項目名】図３
【補正方法】変更
【補正の内容】
【図３】
2004032199.tif 000002
【手続補正１２】
【補正対象書類名】図面
【補正対象項目名】図５
【補正方法】変更
【補正の内容】
【図５】
2004032199.tif 000003
【手続補正１３】
【補正対象書類名】図面
【補正対象項目名】図７
【補正方法】変更
【補正の内容】
【図７】
2004032199.tif 000004
【手続補正１４】
【補正対象書類名】図面
【補正対象項目名】図１３
【補正方法】変更
【補正の内容】
【図１３】
2004032199.tif 000005